【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】
互いに組み合わせて用いることにより無彩色を再現可能な複数の有彩１次色インクと、前記複数の有彩１次色インクのいずれとも色相が異なる少なくとも１つの有彩２次色インクとを含むインクセットを用いて印刷媒体に画像を印刷する印刷装置であって、
第１の表色系で表された入力カラー画像データを、再現色表色系で表された第２のカラー画像データに変換する色変換モジュールを備え、
前記再現色表色系は、前記インクセットの各インク量を用いて前記印刷媒体上で再現される再現色を表すための表色系であり、
前記色変換モジュールは、前記再現色が、前記再現色表色系の色空間の少なくとも一部の範囲であって、前記再現色の彩度が無彩色に近い所定の第１の低彩度範囲にあるときに、前記再現色のための前記有彩２次色インクのインク量を、前記再現色の彩度が小さくなるほど小さくなるようにする処理を実行する、
印刷装置。
【請求項２】
互いに組み合わせて用いることにより無彩色を再現可能な複数の有彩１次色インクと、前記複数の有彩１次色インクのいずれとも色相が異なる少なくとも１つの有彩２次色インクとを含むインクセットを用いて印刷媒体に画像を印刷する印刷装置であって、
入力カラー画像データの色を、前記インクセットの各インク量を用いて前記印刷媒体上で再現される再現色に変換する色変換モジュールを備え、
前記色変換モジュールは、前記入力カラー画像データの色の彩度が無彩色に近い所定の第１の低彩度範囲にあるときに、前記再現色のための前記有彩２次色インクのインク量を、前記入力カラー画像データの色の彩度が小さくなるほど小さくなるようにする処理を実行する、
印刷装置。
【請求項３】
請求項１または請求項２に記載の印刷装置であって、
前記色変換モジュールは、さらに、前記彩度が前記第１の低彩度範囲の中の無彩色に近い一部の所定の第２の低彩度範囲にあるときに、前記再現色のための前記有彩２次色インクのインク量をゼロとなるように調整する、
印刷装置。
【請求項４】
請求項３に記載の印刷装置であって、
前記色変換モジュールは、明度が比較的高い所定の高明度範囲においては、色相に係わらず、前記彩度が前記第２の低彩度範囲にあるときに、前記再現色のための前記有彩２次色インクのインク量をゼロとなるように調整する、
印刷装置。
【請求項５】
請求項１ないし請求項３のいずれかに記載の印刷装置であって、
前記第１の低彩度範囲における色相と明度は、所定の色相と所定の明度を持つ
印刷装置。
【請求項６】
請求項１または請求項２に記載の印刷装置であって、
前記色変換モジュールは、
色相が一部の所定の範囲にあり、前記彩度が前記第１の低彩度範囲の中の無彩色に近い一部の所定の第２の低彩度範囲にあるときに、
前記再現色が比較的暗い色であるときには、前記再現色のための前記有彩２次色インクのインク量をゼロより大きい値となるように調整し、
前記再現色が比較的明るい色であるときには、前記再現色のための前記有彩２次色インクのインク量をゼロとなるように調整する、
印刷装置。
【請求項７】
請求項１ないし請求項６のいずれいかに記載の印刷装置であって、
前記再現色を前記印刷媒体上で再現するための前記インクセットの各インク量の組み合わせを分版インク量セットと呼ぶときに、
前記色変換モジュールは、さらに、
前記彩度が前記第１の低彩度範囲の中の無彩色に近い一部の範囲にあるときに、
前記分版インク量セットに含まれる前記有彩２次色インクのインク量を、同じ分版インク量セットに含まれる前記有彩１次色インクのそれぞれのインク量以下となるように調整する、印刷装置。
【請求項８】
請求項１ないし請求項６のいずれかに記載の印刷装置であって、
前記再現色を前記印刷媒体上で再現するための前記インクセットの各インク量の組み合わせを分版インク量セットと呼ぶときに、
前記色変換モジュールは、さらに、
前記彩度が前記第１の低彩度範囲の中の無彩色に近い一部の範囲にあるときに、
前記分版インク量セットに含まれる前記有彩２次色インクのインク量を、前記彩度に相関のある彩度パラメータ値に比例した減り方よりも大きく減少するように調整する、印刷装置。
【請求項９】
請求項１ないし請求項８のいずれかに記載の印刷装置であって、
前記有彩２次色インクは、前記複数の有彩１次色インクとは異なる色材を含有する、
印刷装置。
【請求項１０】
請求項１ないし請求項９のいずれかに記載の印刷装置であって、
前記有彩２次色インクは、前記有彩２次色インクが再現可能な色相を前記複数の有彩１次色インクの混色によって再現した場合に、前記有彩１次色インクの混色で再現することが可能な彩度よりも高い彩度を再現することが可能である、印刷装置。
【請求項１１】
請求項１ないし請求項１０のいずれかに記載の印刷装置であって、
前記インクセットは、互いに色相が異なる第１と第２の２つの有彩２次色インクを含み、
前記有彩２次色インクを前記複数の有彩１次色インクの組み合わせに置換することによってほぼ同じ色相と彩度を再現するときの前記有彩２次色インクのインク量に対する前記複数の有彩１次色インクの各インク量を置換インク量とし、
前記第１と第２の有彩２次色インクのそれぞれに関して、前記置換インク量の中で値が最も大きい２つのインクを主成分１次色インクとしたときに、
前記第１の有彩２次色インクの２つの主成分１次色インクのうちの１つと、前記第２の有彩２次色インクの２つの主成分１次色インクのうちの１つが異なるインクである、
印刷装置。
【請求項１２】
請求項１ないし請求項１１のいずれいかに記載の印刷装置であって、
前記色変換モジュールは、前記第１の表色系と前記再現色表色系との対応関係を定めるルックアップテーブルを参照することによって、前記変換を実行する、印刷装置。
【請求項１３】
印刷媒体上で複数色のインクを用いて任意の色を再現するために、各インクのインク量を決定する分版方法であって、
（ａ）使用可能なインクとして、互いに組み合わせて用いることにより無彩色を再現可能な複数の有彩１次色インクと、前記複数の有彩１次色インクのいずれとも色相が異なる少なくとも１つの有彩２次色インクとを含むインクセットを設定する工程と、
（ｂ）任意の１つの入力色に応じて前記印刷媒体上で再現される色を再現色と呼び、前記再現色を前記印刷媒体上で再現するための前記インクセットの各インク量の組み合わせを分版インク量セットと呼び、前記複数の有彩１次色インクの各インク量を基準ベクトルとして表される色空間を１次色色空間と呼ぶときに、前記１次色色空間内の複数の入力色に応じて前記印刷媒体上で再現される複数の再現色を決定する工程と、
（ｃ）前記複数の再現色を再現するための複数の分版インク量セットを決定する工程と、を備え、
前記工程（ｃ）は、各再現色に関して、
（ｃ１）前記再現色の彩度に相関のある彩度パラメータ値をそれぞれ求める工程と、
（ｃ２）前記彩度パラメータ値が無彩色に近い所定の第１の低彩度範囲にあるときに、前記再現色のための前記分版インク量セットに含まれる前記有彩２次色インクのインク量を、彩度が小さくなる方向への前記彩度パラメータ値の変化に応じて小さくなるように調整する工程と、
を実行する、
分版方法。
【請求項１４】
請求項１３に記載の分版方法であって、
前記工程（ｃ２）では、前記彩度パラメータ値が前記第１の低彩度範囲の中の無彩色に近い少なくとも一部の範囲にあるときに、
前記有彩２次色インクの実際のインク量が、前記再現色を再現するための前記有彩２次色インクの仮想インク量であって、所定のインク量条件に従って決定される仮想インク量よりも小さくなるように調整される、分版方法
【請求項１５】
請求項１３ないし請求項１４のいずれかに記載の分版方法であって、
前記工程（ｃ２）は、
（ｃ２−１）前記彩度パラメータ値に基づいて前記有彩２次色インクの候補インク量を求める工程と、
（ｃ２−２）前記有彩２次色インクの前記候補インク量とともに前記再現色を再現するために必要とされる前記有彩１次色インクの候補インク量を決定することによって、候補インク量セットを決定する工程と、
（ｃ２−３）前記候補インク量セットが前記印刷媒体の単位面積当たりに使用可能なインク量の上限値を制限するインクデューティ制限の範囲内にある場合には、前記候補インク量セットをそのまま前記分版インク量セットとして採用し、一方、前記候補インク量セットが前記インクデューティ制限を越える場合には、前記インクデューティ制限を満たすように前記候補インク量セットを修正することによって前記分版インク量セットを決定する工程と、を含む、
分版方法。
【請求項１６】
請求項１５に記載の分版方法であって、
前記工程（ｃ２−１）は、
前記１次色色空間内の最外殻位置にある有彩色を最外殻有彩色と呼ぶときに、前記最外殻有彩色に対応付けられた最外殻分版インク量セットであって、前記インクセットによって再現可能で前記最外殻有彩色よりも彩度の高い拡張有彩色を再現するための最外殻分版インク量セットを決定する工程と、
前記拡張有彩色を、前記１次色色空間において前記最外殻有彩色を表す最外殻有彩色ベクトルと同一の方向を有するより長い拡張有彩色ベクトルで表される色として決定するとともに、前記拡張有彩色を再現するための前記最外殻分版インク量セットを決定する工程と、
前記１次色色空間において前記入力色と同じベクトル方向を有する最外殻有彩色に対する最外殻分版インク量セットに、前記入力色のベクトル長と前記最外殻有彩色のベクトル長との比を乗じて得られる値と前記彩度パラメータ値とに基づいて、前記有彩２次色インクの前記候補インク量を決定する工程と、
を含む、分版方法。
【請求項１７】
請求項１３ないし請求項１５のいずれかに記載の分版方法であって
前記工程（ｂ）は、
（ｂ１）前記１次色色空間内の最外殻位置にある有彩色を最外殻有彩色と呼ぶときに、前記最外殻有彩色に対応付けられた最外殻分版インク量セットであって、前記インクセットによって再現可能で前記最外殻有彩色よりも彩度の高い拡張有彩色を再現するための最外殻分版インク量セットを決定する工程と、
（ｂ２）前記最外殻有彩色と前記最外殻分版インク量セットとの関係に基づいて、前記１次色色空間内の前記複数の入力色にそれぞれ対応付けられた前記複数の再現色を決定する工程と、
を含み、
前記工程（ｂ１）は、
前記印刷媒体の単位面積当たりに使用可能なインク量の上限値をインクデューティ制限として設定する工程と、
前記拡張有彩色を、前記１次色色空間において前記最外殻有彩色を表す最外殻有彩色ベクトルと同一の方向を有するより長い拡張有彩色ベクトルで表される色として決定するとともに、前記拡張有彩色を再現するための前記最外殻分版インク量セットを決定する工程と、
を備え、
前記拡張有彩色および前記最外殻分版インク量セットの決定は、以下の条件：
（ｉ）前記最外殻分版インク量セットが前記インクデューティ制限内である、
を満足するように行われる、
分版方法。
【請求項１８】
請求項１７に記載の分版方法であって、
前記拡張有彩色および前記最外殻分版インク量セットの決定は、さらに、以下の条件：
（ｉｉ）前記インクセットで再現可能な範囲で前記拡張有彩色ベクトルの長さが最も長くなる、
を満足するように行われる、分版方法。
【請求項１９】
請求項１７または請求項１８に記載の分版方法であって、
前記拡張有彩色および前記最外殻分版インク量セットの決定は、さらに、以下の条件：
（ｉｉｉ）前記拡張有彩色を再現するための前記最外殻分版インク量セットのインク量の合計が最も少なくなる、
を満足するように行われる、分版方法。
【請求項２０】
請求項１７ないし請求項１９のいずれかに記載の分版方法であって、
前記再現色は、前記１次色色空間において前記入力色と同じベクトル方向を有する最外殻有彩色に対する最外殻分版インク量セットに、前記入力色のベクトル長と前記最外殻有彩色のベクトル長との比を乗じることによって得られる仮の分版インク量セットによって再現される色である、分版方法。
【請求項２１】
請求項１３ないし請求項２０のいずれかに記載の分版方法であって、
前記彩度パラメータ値は、前記入力色または前記再現色を前記有彩１次色インクのみで再現したときの前記有彩１次色インクの各インク量の最大値と最小値の差分である、分版方法。
【請求項２２】
請求項１３ないし請求項２１のいずれかに記載の分版方法であって、
前記インクセットは、ブラックインクを含み、
前記工程（ｂ）は、
前記入力色に前記ブラックインクの下色除去処理を行うことによって、ブラック成分が除去されて複数の有彩１次色成分で構成された修正入力色を求める工程を含み、前記再現色は前記修正入力色に応じて決定される、
分版方法。
【請求項２３】
第１の表色系で表された入力カラー画像データを、再現色表色系で表された第２のカラー画像データに変換するための色変換ルックアップテーブルを作成する方法であって、
前記再現色表色系は、互いに組み合わせて用いることにより無彩色を再現可能な複数の有彩１次色インクと、前記複数の有彩１次色インクのいずれとも色相が異なる少なくとも１つの有彩２次色インクを含むインクセットを用いて色を再現するための表色系であり、
前記色変換ルックアップテーブルの作成方法は、
前記第１の表色系で表された第１の階調値セットを、前記複数の有彩１次色インクの各インク量のための１次色表色系で表された１次色階調値セットに変換するための第１の対応関係を設定する工程と、
請求項１３ないし請求項２２のいずれかに記載の分版方法に従って、前記１次色表色系内の複数の入力色に対する前記１次色階調値セットを前記インクセットの各インク量に変換するための第２の対応関係を設定する工程と、
前記第１と第２の対応関係を用いて、前記第１の表色系で表された前記第１の階調値セットと前記インクセットの各インク量との対応関係を求めるとともに、前記色変換ルックアップテーブルに格納する工程と、
を備える、
色変換ルックアップテーブルの作成方法。
【請求項２４】
第１の表色系で表された入力カラー画像データを、再現色表色系で表された第２のカラー画像データに変換する画像データ処理装置であって、
請求項２３の方法に従って作成された色変換ルックアップテーブルと、
前記色変換ルックアップテーブルを参照して前記変換処理を実行する色変換モジュールと、
を備える、画像データ処理装置。
【請求項２５】
色相が互いに異なる複数のインクを用いて印刷を行う印刷装置であって、
前記複数のインクの内の少なくとも１つのインクは他の異なる色相の２種のインクの組み合わせで再現可能な２次色インクであり、
所定の彩度よりも低い彩度の画像を、彩度が低くなるにつれて前記２次色インクの使用量を少なくして印刷する事を特徴とする印刷装置。
【手続補正２】
【補正対象書類名】明細書
【補正対象項目名】０００７
【補正方法】変更
【補正の内容】
【０００７】
【課題を解決するための手段およびその作用・効果】
上記課題の少なくとも一部を解決するために、この発明の第１の態様に係る分版方法は、印刷媒体上で複数色のインクを用いて任意の色を再現するために、各インクのインク量を決定する分版方法であって、（ａ）使用可能なインクとして、互いに組み合わせて用いることにより無彩色を再現可能な複数の有彩１次色インクと、前記複数の有彩１次色インクのいずれとも色相が異なる少なくとも１つの有彩２次色インクとを含むインクセットを設定する工程と、（ｂ）任意の１つの入力色に応じて前記印刷媒体上で再現される色を再現色と呼び、前記再現色を前記印刷媒体上で再現するための前記インクセットの各インク量の組み合わせを分版インク量セットと呼び、前記複数の有彩１次色インクの各インク量を基準ベクトルとして表される色空間を１次色色空間と呼ぶときに、前記１次色色空間内の複数の入力色に応じて前記印刷媒体上で再現される複数の再現色を決定する工程と、（ｃ）前記複数の再現色を再現するための複数の分版インク量セットを決定する工程と、を備え、前記工程（ｃ）は、各再現色に関して、（ｃ１）前記再現色の彩度に相関のある彩度パラメータ値をそれぞれ求める工程と、（ｃ２）前記彩度パラメータ値が無彩色に近い所定の第１の低彩度範囲にあるときに、前記再現色のための前記分版インク量セットに含まれる前記有彩２次色インクのインク量を、彩度が小さくなる方向への前記彩度パラメータ値の変化に応じて小さくなるように調整する工程と、を実行する。また、この発明の第２の態様に係る印刷装置は、互いに組み合わせて用いることにより無彩色を再現可能な複数の有彩１次色インクと、前記複数の有彩１次色インクのいずれとも色相が異なる少なくとも１つの有彩２次色インクとを含むインクセットを用いて印刷媒体に画像を印刷する印刷装置であって、第１の表色系で表された入力カラー画像データを、再現色表色系で表された第２のカラー画像データに変換する色変換モジュールを備え、前記再現色表色系は、前記インクセットの各インク量を用いて前記印刷媒体上で再現される再現色を表すための表色系であり、前記色変換モジュールは、前記再現色が、前記再現色表色系の色空間の少なくとも一部の範囲であって、前記再現色の彩度が無彩色に近い所定の第１の低彩度範囲にあるときに、前記再現色のための前記有彩２次色インクのインク量を、前記再現色の彩度が小さくなるほど小さくなるようにする処理を実行する。また、この発明の第３の態様に係る印刷装置は、互いに組み合わせて用いることにより無彩色を再現可能な複数の有彩１次色インクと、前記複数の有彩１次色インクのいずれとも色相が異なる少なくとも１つの有彩２次色インクとを含むインクセットを用いて印刷媒体に画像を印刷する印刷装置であって、入力カラー画像データの色を、前記インクセットの各インク量を用いて前記印刷媒体上で再現される再現色に変換する色変換モジュールを備え、前記色変換モジュールは、前記入力カラー画像データの色が、前記入力カラー画像データの色の彩度が無彩色に近い所定の第１の低彩度範囲にあるときに、前記再現色のための前記有彩２次色インクのインク量を、前記入力カラー画像データの色の彩度が小さくなるほど小さくなるようにする処理を実行する。